(57)【要約】【課題】養生が不要で、仕上がり感に優れるとともに、産業廃棄物の発生を抑えることのできる止水用シーリング工法を提供する。【解決手段】水回りに形成された目地７１、７２を止水するための工法であって、目地空隙部に充填できるように紐状とされ、目地材料と接着するとともに室温で硬化し、硬化後は、ゴム弾性を有する止水用シーリング材１を用いることを特徴とする止水用シーリング工法。上記止水用シーリング材１として、好ましくは、反応接着性シリコーンゴムを用いる。【選択図】図１
2004100408.tif 000002
【特許請求の範囲】
【請求項１】
水回りに形成された目地を止水するための工法であって、目地空隙部に充填できるように紐状とされ、目地材料と接着するとともに室温で硬化し、硬化後は、ゴム弾性を有する止水用シーリング材を用いることを特徴とする止水用シーリング工法。
【請求項２】
上記止水用シーリング材が反応接着性シリコーンゴムである請求項１に記載の止水用シーリング工法。
【請求項３】
上記目地空隙部に予めバックアップ材を介装して止水するとともに、このバックアップ材で確保された空隙にさらに上記止水用シーリング材を充填する請求項１に記載の止水用シーリング工法。
【請求項４】
上記バックアップ材がブチルゴムである請求項３に記載の止水用シーリング工法。
【請求項５】
上記水回りに形成された目地が浴室ユニット内の目地である請求項１に記載の止水用シーリング工法。
【発明の詳細な説明】
【０００１】
【発明の属する技術分野】
本発明は、止水用シーリング工法に関する。さらに詳しくは、浴室ユニットや、キッチンユニット等の水回りに形成された目地に適用され、止水を行なう止水用シーリング工法に関する。
【０００２】
【従来の技術】
従来から、止水、防水のためにシーリングを行う方法として、シリコーン系のシーリング材を用いる方法が知られている。（例えば、特許文献１、特許文献２参照）
【０００３】
【特許文献１】
特開平８−９３０８５号公報（第１−２頁、第１図）
【特許文献２】
特開平１１−２５６７３５号公報（第２頁、第１図）
【０００４】
上記シリコーン系シーリング材は、通常、カートリッジに充填して市販され、使用時には、出口ノズルから必要量を押出して目地の隙間に充填し、止水のためのシーリングが行なわれる。しかし、前処理として、目地部以外はマスキングテープで養生をする必要があり、またシーリング後は、そのテープを除去しなければならず、作業性が悪いという問題がある。また、目地の隙間に必要量だけのシーリング材を充填するのは困難で、均一な充填量で、平滑な表面で仕上げるためには熟練を要するという問題もある。さらに、使用されないで、カートリッジに残ったシーリング材はロスとなり、カートリッジとともに産業廃棄物として処理しなければならないという問題もある。
【０００５】
【発明が解決しようとする課題】
そこで、本発明は、上記課題を解決して、養生が不要で、シーリング材の目地への充填量を一定とすることができるともに、仕上がり感に優れ、また、産業廃棄物の発生を抑えることのできる止水用シーリング工法を提供することをその課題とする。
【０００６】
【課題を解決するための手段】
本発明は、上記課題を解決するために考え出されたものであって、つぎのような技術的手段を講じている。すなわち、本発明によれば、水回りに形成された目地を止水するための工法であって、目地空隙部に充填できるように紐状とされ、目地材料と接着するとともに室温で硬化し、硬化後は、ゴム弾性を有する止水用シーリング材を用いることを特徴とする止水用シーリング工法が提供される。このようにすることによって、紐状のシーリング材を目地の隙間に充填し、室温に保つのみで硬化するため、充填量を一定にすることができるとともに、仕上がり感に優れたシーリングを行なうことができる。さらに、紐状のシーリング材を必要量のみ使用すればよいため、カートリッジが不要となり、産業廃棄物の発生を抑えることができる。
【０００７】
上記止水用シーリング材としては、反応接着性シリコーンゴムを用いることが好ましい。このようにすることによって、目地を構成する材料と、しっかりと接着するとともに室温で硬化し、硬化後はゴム弾性を発揮するため、材料の収縮等によって目地の間に変位が生じても、これに追従して弾性変形するため、目地切れを防止することができる。
【０００８】
上記目地空隙部に予めバックアップ材を介装して止水するとともに、このバックアップ材で確保された空隙に、さらに上記止水用シーリング材を充填してもよい。このようにすることにより、例えば、浴室の床パンに壁パネルを立設する場合、上記床パンの立上がり部周縁と壁パネルの下端面との間にバックアップ材を介装し、このバックアップ材で止水するとともに上記壁パネルを支え、このようにして確保された目地の空隙に、さらに、止水用シーリング材を充填すると、二重に止水できるため、より効果的な防水効果を得ることができる。
【０００９】
上記バックアップ材としてブチルゴムを用いることが好ましい。ブチルゴムは、強度的にすぐれているため、上記壁パネル４を、しっかりと支えるとともに、耐水性にも優れているため、長期間止水効果を発揮することができる。
【００１０】
上記水回りに形成された目地が、浴室ユニット内の目地とされる。このようにすることにより、浴室ユニット内における、壁パネルと壁パネルとの間の目地、あるいは壁パネルの下端面と床パンの立上がり部周縁との間の目地等を好適にシーリングし、優れた止水効果をあげることができる。
【００１１】
【発明の実施の形態】
以下、本発明の好ましい実施の形態について、実施例により、さらに詳細に説明する。
【００１２】
【実施例１】
浴室ユニットの側壁に用いた壁パネル２と壁パネル２との間の目地７１に本発明の湿気硬化型のシーリング工法を適用した。すなわち、図１（ａ）の平断面図に示すように、表面材２１（無機化粧板、厚み５ｍｍ）と基材２２とからなる壁パネル２を浴室床パン５上に所定枚数立設し、壁パネル２の裏面両端部に補強を兼ねて設けられたジョイント金具３で連接した。図１（ａ）における目地幅ｗは２〜３ｍｍで、深さｄ（表面材の厚み分）は５ｍｍである。
【００１３】
ついで、上記目地空隙に湿気硬化型の反応接着性シリコーンゴムを紐状（径５ｍｍ）に成形したシーリング材１（商品名ポリマーエース、常温保存型、信越ポリマー製）を充填した。室温で数時間放置後、上記シーリング材１は、湿気により硬化するとともに壁パネル２にしっかりと接着し、ゴム弾性を発揮した。止水性は良好であり、また、マスキングテープによる養生作業を行う必要がないため、作業性も良好であった。シーリングを行なった後の壁パネル２の平断面図を図１（ｂ）に示す。
【００１４】
【実施例２】
ポリ塩化ビニル製、ＰＥＴ製等の樹脂化粧板（厚みＴ１＝１８ｍｍ）を表面材４１とし、鋼鈑を基材４２とする壁パネル４を、ＦＲＰ製浴室ユニットの床パン５の立上がり部周縁５１上に立設した。このとき、図２（ａ）の側断面図に示すように、床パン５の立上がり部周縁５１上外側に予め、シーリング不良の場合に備えての二重防水のため、および、シーリング材を充填するときの隙間確保のためにバックアップ材６としてブチルゴム（厚みＴ２＝５ｍｍ、幅Ｗ＝１５ｍｍ　）を介装した。
【００１５】
ついで、上記バックアップ材６によって確保された目地７２空隙に反応接着性シリコーンゴムを紐状（径５ｍｍ）に成形した止水用シーリング材１（商品名ポリマーエース、信越ポリマー製）を充填した。室温で数時間放置後、上記
止水用シーリング材１は、湿気により硬化するとともに壁パネル４の下端面と床パン５の立上がり部周縁５１にしっかりと接着し、ゴム弾性を発揮した。止水性は良好であり、また、マスキングテープによる養生作業を行なう必要がなかったため、作業性も良好であった。シーリングを行った後の壁パネル４の側断面図を図２（ｂ）に示す。
【００１６】
図３は、実施例２にしたがって、浴室ユニットの壁パネル４と壁パネル４との間の目地７２および壁パネル４と床パン５の立上がり部周縁５１との間の目地７２に本発明にかかる湿気硬化型のシーリング工法を適用して、シーリング材１を充填した状態を併せて示す部分斜視図である。
【００１７】
【発明の効果】
以上述べたように、請求項１に記載の発明は、水回りに形成された目地７１、７２を止水するための工法であって、目地空隙部に充填できるように紐状とされ、目地材料と接着するとともに室温で硬化し、硬化後は、ゴム弾性を有する止水用シーリング材１を用いることを特徴とする止水用シーリング工法である。このようにすることによって、紐状のシーリング材を目地７１、７２の隙間に充填し、室温に保つのみで硬化するため、充填量を一定にすることができるとともに、仕上がり感に優れたシーリングを行なうことができる。さらに、紐状のシーリング材を必要量のみ使用すればよいため、カートリッジが不要となり、産業廃棄物の発生を抑えることができる。
【００１８】
請求項２に記載の発明は、上記止水用シーリング材１が反応接着性シリコーンゴムとされる。このようにすることによって、請求項１に記載の発明の効果に加えて、目地７１、７２を構成する材料と、しっかりと接着するとともに室温で硬化し、硬化後はゴム弾性を発揮するため、材料の収縮等によって目地の間に変位が生じても、これに追従して弾性変形するため、目地切れを防止することができる。
【００１９】
請求項３に記載の発明は、上記目地７２空隙部に予めバックアップ材６を介装して止水するとともに、このバックアップ材６で確保された空隙にさらに上記止水用シーリング材１が充填される。このようにすることにより、例えば、浴室の床パン５に壁パネルを立設する場合、上記床パン５の立上がり部周縁５１と壁パネル４の下端面との間にバックアップ材６を介装し、このバックアップ材６で止水するとともに上記壁パネル４を支え、このようにして確保された目地７２の空隙に、さらに、止水用シーリング材１を充填すると、二重に止水できるため、より効果的な防水効果を得ることができる。
【００２０】
請求項４に記載の発明は、上記バックアップ材６としてブチルゴムが用いられる。ブチルゴムは、強度的にすぐれているため、請求項３に記載の発明の効果に加えて、上記壁パネル４を、しっかりと支えるとともに、耐水性にも優れているため、長期間止水効果を発揮することができる。
【００２１】
請求項５に記載の発明は、上記水回りの目地７１、７２が浴室ユニット内に形成された目地とされる。このようにすることにより、請求項１に記載の発明の効果に加えて、浴室ユニット内における、壁パネルと壁パネルとの間の目地７１、あるいは壁パネル４の下端面と床パン５の立上がり部周縁５１との間の目地７２等を好適にシーリングし、優れた止水効果をあげることができる。
【図面の簡単な説明】
【図１】（ａ）は、実施例１における壁パネルと壁パネルとの間の目地を示す平断面図である。
（ｂ）は、図１（ａ）に示す目地にシーリングを行った後の壁パネルの平断面図である。
【図２】（ａ）は、実施例２における壁パネルと床パンの立上がり部周縁との間の目地を示す側断面図である。
（ｂ）は、図２（ａ）に示す目地にシーリングを行った後の壁パネルの側断面図である。
【図３】実施例２にしたがって、浴室ユニット内の目地に本発明にかかるシーリング工法を適用した状態を併せて示す部分斜視図である。
【符号の説明】
１　　　　　本発明にかかる止水用シーリング材
２　　　　　実施例１における壁パネル
２１　　　　上記壁パネルを構成する表面材
２２　　　　上記壁パネルを構成する基材
３　　　　　ジョイント金具
４　　　　　実施例２における壁パネル
４１　　　　上記壁パネルを構成する表面材
４２　　　　上記壁パネルを構成する基材
５　　　　　床パン
５１　　　　床パンの立上がり部周縁
６　　　　　バックアップ材
７１　　　　実施例１における目地
７２　　　　実施例２における目地
【図１】
2004100408.tif 000003
【図２】
2004100408.tif 000004
【図３】
2004100408.tif 000005